(57)【特許請求の範囲】
【請求項１】
上部が開口した箱状の本体ケースと、
平面視において前記本体ケースの上部開口面積よりも大きい面積を有し、前記本体ケースの上部開口を覆う天板と、
前記天板の下方に配設された加熱手段と、
前記天板の手前側に設けられ、前記天板の上面側から操作可能な操作部と、
前記本体ケースに取り付けられ、前記天板を下方から支持する固定部材と、を備え、
前記固定部材は、
本体ケース側面に取り付けられる側面板と、側面板の上端から前記本体ケース外側に向かって延びて前記天板を下方から支持するフランジ部と、を備え、
前記固定部材は、前記側面板の前端から前記本体ケース前面内側に向かって延び、前記本体ケース前面に接する前面板を備え、
前記固定部材は、前記本体ケースの側面と前面とを接合する角の少なくとも一部を覆う
ことを特徴とする加熱調理器。
【請求項２】
上部が開口した箱状の本体ケースと、
平面視において前記本体ケースの上部開口面積よりも大きい面積を有し、前記本体ケースの上部開口を覆う天板と、
前記天板の下方に配設された加熱手段と、
前記天板の手前側に設けられ、前記天板の上面側から操作可能な操作部と、
前記本体ケースに取り付けられ、前記天板を下方から支持する固定部材と、を備え、
前記固定部材は、
本体ケース側面に取り付けられる側面板と、側面板の上端から前記本体ケース外側に向かって延びて前記天板を下方から支持するフランジ部と、を備え、
前記操作部は、
操作基板と、この操作基板を保持する操作基板ホルダーと、を有し、
前記本体ケースの前面側には前側カバーが取り付けられ、前記前側カバーは、前記本体ケースの前面から手前側に向かって突出するように配置される上面部を有し、
前記操作基板ホルダーの左右端部の下面に当接し、前記上面部及び前記フランジ部と同一平面となるように保護カバーが設けられる
ことを特徴とする加熱調理器。
【請求項３】
前記操作部の左側端部と右側端部の少なくとも一方は前記本体ケースの左右方向端部よりも外側に位置するよう配置される
ことを特徴とする請求項１又は請求項２記載の加熱調理器。
【請求項４】
前記操作部の左右幅は、前記本体ケースの左右幅よりも大きい
ことを特徴とする請求項１〜請求項３のいずれか記載の加熱調理器。
【請求項５】
前記操作部は、操作基板と、この操作基板を保持する操作基板ホルダーとを備え、
前記操作基板ホルダーの左右端部の下面に当接する保護カバーを備えた
ことを特徴とする請求項１に記載の加熱調理器。
【発明の詳細な説明】
【技術分野】
【０００１】
本発明は、天板上に載置された被加熱物を加熱可能な加熱調理器に関し、特に、天板上面側から操作が可能な操作部を備えた加熱調理器に関する。
【背景技術】
【０００２】
従来、上部が開口した箱状の本体ケースと、本体ケースの上部開口を覆う天板とを備え、天板の下方に設けた加熱手段により天板上に載置した被加熱物を加熱する加熱調理器がある。このような加熱調理器において、「筐体４には、トッププレート５の周縁部の裏面を支持する支持枠２７が連結され」、「筐体４側の重量は直接トッププレート５に加わることなく、筐体４のフランジ部４ｂ或いは支持枠２７によって支持される」という技術が提案されている（例えば、特許文献１参照）。
【先行技術文献】
【特許文献】
【０００３】
【特許文献１】特開２００９−２３８７６６号公報（第６頁、図５）
【発明の概要】
【発明が解決しようとする課題】
【０００４】
特許文献１に記載の加熱調理器では、本体ケース（筐体）の重量を支える固定部材（支持枠）が、天板（トッププレート）の手前側（すなわち、加熱調理器の前面側）に張り出している。このため、例えばメンブレンスイッチやタッチパネルなどを備える操作部を天板の手前側に設けようとした場合、操作部の基板と固定部材との設置位置が干渉してしまう。
例えば、固定部材の上に重ねて操作部の基板を設けるとすると、キッチン上面と天板上面との高さの差が、固定部材の厚みの分だけ増すこととなって天板上面が高くなる。そうなると、キッチン上面と天板上面との段差が大きくなり、使用者の操作性の低下やデザイン性の低下に繋がるおそれがあった。また、例えば、固定部材の設置位置と干渉しない位置に操作部の基板を設けることも考えられる。しかし、使用者の操作性を考慮すると、天板上の操作部は天板の手前側になるべく広い面積で設けることが望ましい。固定部材により操作部の設置位置が制限されるとなると、操作性の低下に繋がるおそれがあった。
【０００５】
本発明は、上記のような課題を解決するためになされたものであり、天板上面側から操作が可能な操作部を天板の手前側に備えた加熱調理器において、天板と本体ケースとの固定部材を、操作部の設置位置に干渉することなく設けることのできる加熱調理器を提供するものである。
【課題を解決するための手段】
【０００６】
本発明に係る加熱調理器は、上部が開口した箱状の本体ケースと、平面視において前記本体ケースの上部開口面積よりも大きい面積を有し、前記本体ケースの上部開口を覆う天板と、前記天板の下方に配設された加熱手段と、前記天板の手前側に設けられ、前記天板の上面側から操作可能な操作部と、前記本体ケースに取り付けられ、前記天板を下方から支持する固定部材と、を備え、前記固定部材は、本体ケース側面に取り付けられる側面板と、側面板の上端から前記本体ケース外側に向かって延びて前記天板を下方から支持するフランジ部と、を備え、前記固定部材は、前記側面板の前端から前記本体ケース前面内側に向かって延び、前記本体ケース前面に接する前面板を備え、前記固定部材は、前記本体ケースの側面と前面とを接合する角の少なくとも一部を覆うものである。
【発明の効果】
【０００７】
本発明に係る加熱調理器の固定部材は、本体ケースに取り付けられる側面板と、側面板の上端から本体ケースの外側に向かって延びるフランジ部を備え、天板の下面を支える。固定部材は、本体ケースの左右方向の外側において天板を支持することができるので、天板の手前側に設けられた操作部と干渉することがない。
【図面の簡単な説明】
【０００８】
【図１】実施の形態１に係る加熱調理器の斜視図である。
【図２】実施の形態１に係る加熱調理器の天板とその周辺構造を示す分解図である。
【図３】実施の形態１に係る加熱調理器の固定部材周辺を下側から見た図である。
【図４】実施の形態２に係る加熱調理器の固定部材周辺を下側から見た図である。
【図５】実施の形態３に係る加熱調理器の固定部材周辺を下側から見た図である。
【図６】実施の形態３に係る保護カバーとその取り付け構造を説明する図である。
【発明を実施するための形態】
【０００９】
実施の形態１．
本実施の形態では、いわゆるビルトイン式の加熱調理器を例に説明する。このビルトイン式の加熱調理器は、キッチンＫに設けられた開口部に対して上方より挿入されて、キッチンＫのトッププレートと加熱調理器の天面とが略同一面に構成されるようにして据え付けられる加熱調理器である。
図１は実施の形態１に係る加熱調理器の斜視図、図２は天板とその周辺構造の分解図である。
【００１０】
［加熱調理器の全体構成］
図１、図２を参照して本実施の形態に係る加熱調理器の全体構成を説明する。
加熱調理器１００は、上部を開口したほぼ直方体の本体ケース１と、本体ケース１の上面開口を覆う天板２を備える。この天板２は、全体が耐熱強化ガラスや結晶化ガラス等の非磁性の材料で構成されていて、天板２の前後左右側縁は外周フレーム１０により保持されている。平面視において、天板２の面積は本体ケース１の上面開口部の面積よりも大きい。本体ケース１の上に天板２が載置された状態では、天板２の外周は、庇のようにして本体ケース１の外周よりも外側に張り出している。
本体ケース１の内部には、加熱源として加熱コイル５Ｌ、５Ｒが左右並べて２つ配置されている。天板２の上面には、２つの加熱コイルの大まかな位置を示す円形の案内マーク３Ｌ、３Ｒが、それぞれ印刷などの方法で設けられている。
本体ケース１の内部には、シーズヒータなどの輻射式電気加熱源を備えたグリル加熱室（図示せず）が区画形成されていて、このグリル加熱室の前面開口は、本体ケース１の前面側に設けられたドア６によって開閉自在に覆われている。
本体ケース１の前面側には、加熱調理器１００の主電源をオン／オフする主電源ボタン７と、加熱コイル５Ｌの火力を調整する火力調整ダイアル８Ｌと、加熱コイル５Ｒの火力を調整する火力調整ダイアル８Ｒとが設けられている。
【００１１】
外周フレーム１０は、図２に示すように、天板２の前縁を覆うフロントフレーム１１と、天板２の左右の縁を覆うサイドフレーム１２と、天板２の後縁を覆うバックフレーム１３とを備える。天板２の前後左右の縁と外周フレーム１０との間には、ゴム製パッキンやシール材（図示せず）が介在し、両者は水密状態に固定される。
【００１２】
天板２の下側には、ベースフレーム５０が設けられている。ベースフレーム５０は、大まかには額縁形状を有し、天板２と本体ケース１とに挟まれた位置に配置されていて、天板２の下面を額縁状に支持している。ベースフレーム５０の外周端は、ほぼ全周にわたって上方に折り曲げられて外周壁５１が形成されている。この外周壁５１の内側に、天板２を収容可能になっている。なお、本実施の形態１では、ベースフレーム５０のほぼ全周にわたって外周壁５１を設けた場合を例に説明しているが、外周壁５１の一部を適宜切り欠いた構成でもよく、このようにしても天板２の収容に支障はない。
ベースフレーム５０の前側の枠には、後述するタッチパネル装置６０と平面視ほぼ同面積で、タッチパネル装置６０を嵌合可能な窓部５６が形成されている。
【００１３】
天板２の手前側には、加熱コイル５Ｌ、５Ｒやグリル加熱室の加熱源の加熱／停止の信号、加熱温度、加熱モード設定など各種信号の入力を受け付けるとともに、加熱温度や動作状態などを表示するタッチパネル式の操作表示部４が設けられている。操作表示部４の左右幅は、本体ケース１の左右幅よりも大きい。
操作表示部４は、非磁性の天板２の下側に配置されたタッチパネル装置６０と、このタッチパネル装置６０を保持するタッチパネルホルダー７０とを備えている。
【００１４】
タッチパネル装置６０は、いわゆる静電容量方式のタッチパネルであり、例えば液晶画面などの表示装置の上に、座標入力のための透明電極が重ねられて構成されている。表示装置には、加熱調理器１００の運転状態や加熱モードなどに応じて、例えば加熱／停止や温度上昇／低下などを示す文字や画像が切り替え表示されて、使用者の指によるタッチを促す。使用者が天板２の操作表示部４の部分に触れると、タッチパネル装置６０は、天板２を介して使用者の指と透明電極との間に形成される静電容量の変化を検出し、これに基づいて使用者の指によりタッチされた位置を検出する。そして、タッチパネル装置６０が検出した位置情報は制御部（図示せず）に伝えられ、制御部はその位置情報に応じた制御処理を行う。
【００１５】
タッチパネルホルダー７０は、タッチパネル装置６０を収容する部材である。タッチパネルホルダー７０は、タッチパネル装置６０を天板２側に向かって押し上げ、天板２とタッチパネル装置６０との間の所定距離を保つ。
【００１６】
組み付け状態において、タッチパネルホルダー７０に収容されたタッチパネル装置６０は、ベースフレーム５０の窓部５６に嵌合される。
タッチパネル装置６０の左右横幅は、本体ケース１の左右横幅よりも大きく、タッチパネル装置６０の左右端は本体ケースの左右端よりも外側に位置するようになっている。
タッチパネルホルダー７０によりタッチパネル装置６０を天板２の下側に組み付けると、使用者は、非磁性の天板２を介してタッチパネル装置６０の表示装置に表示された文字や画像などを見ることができる。
【００１７】
なお、本実施の形態１では、静電容量方式のタッチパネルを備えた操作表示部４を例に説明するが、タッチパネルの構成を限定するものではない。また、例えば、押圧操作式のスイッチ等が実装された基板を有するいわゆるメンブレンスイッチにより操作表示部を構成してもよく、任意の操作表示部を設けることができる。
【００１８】
前側カバー３０は、本体ケース１の前面側かつタッチパネルホルダー７０の下側に取り付けられるカバーである。前側カバー３０は、キッチンＫの開口部に加熱調理器１００を挿入したとき、キッチンＫの開口部の壁面と接して加熱調理器１００を保護する。
【００１９】
前側カバー３０は、上面部３１と、上面部３１の後端から下方に向かって折り曲げ形成された背面部３２と、背面部３２の下端から前方に向かって折り曲げ形成された底面部３３とを備える。前側カバー３０は、縦断面において前面を開口したほぼコ字状であり、上面部３１及び底面部３３は取り付け状態においてほぼ水平となる。
【００２０】
固定部材４０は、本体ケース１の左右の側面前側にそれぞれ取り付けられて、天板２を下方から支える部材であり、板金等で構成されている。固定部材４０は、平板状に構成されて本体ケース１の側面に取り付けられる側面板４１と、側面板４１の上端から本体ケース１の外側方向に向かって延びるフランジ部４２とを有し、全体としてほぼ鉤型に構成されている。側面板４１には、固定部材４０を本体ケース１に取り付けるためのネジ穴４３が設けられている。
【００２１】
［取り付け構造］
図３は、実施の形態１に係る加熱調理器１００の固定部材４０周辺を下側から見た図である。図２、図３を参照し、天板２の周辺部材の取り付け構造を説明する。
【００２２】
タッチパネルホルダー７０に収容したタッチパネル装置６０を、ベースフレーム５０の窓部５６に嵌合させ、タッチパネルホルダー７０とベースフレーム５０とをネジ止めすることにより、タッチパネル装置６０とベースフレーム５０とが連結される。また、前側カバー３０をタッチパネルホルダー７０の下側にあてがい、本体ケース１と前側カバー３０とをネジ止めすることにより、本体ケース１と前側カバー３０とが連結される。また、固定部材４０を本体ケース１の側面前方にネジ止めすることにより、固定部材４０と本体ケース１とが連結される。このとき、本体ケース１の上端と、固定部材４０のフランジ部４２の上面とが、ほぼ同じ高さとなる。
前側カバー３０を取り付けた本体ケースの上に、ベースフレーム５０（タッチパネル装置６０が取り付けられている）、天板２を順に載置する。そして、フロントフレーム１１、サイドフレーム１２、及びバックフレーム１３を、天板２の外周に被せるようにして取り付ける。フロントフレーム１１を取り付けると、図３に示すように、ベースフレーム５０の前端がフロントフレーム１１によって覆われる。
このように取り付けると、前側カバー３０の上面部３１の上面がタッチパネルホルダー７０の下面に当接し、タッチパネルホルダー７０を上方（天板２側）に押し上げる。タッチパネルホルダー７０を上方に押し上げることで、タッチパネル装置６０が天板２に近づき、タッチパネルの静電容量変化の検出精度を高精度に維持できる。
【００２３】
このようにして組み立てられた加熱調理器１００は、キッチンＫに設けられた開口部に上方から挿入されて据え付けられる。キッチンＫの開口部に挿入されると、固定部材４０の側面板４１とフランジ部４２によって構成される角部分に、キッチンＫの開口部の側面と上面とを接続する角部分が当接する。フランジ部４２の下面が、キッチンＫの開口部周囲の天面に当接することとなる。キッチンＫへの据え付け状態において、固定部材４０は、加熱調理器１００の本体ケース１の重量支持を補助することができる。
【００２４】
以上のように、本実施の形態１によれば、固定部材４０は、本体ケース１に取り付けられる側面板４１と、側面板４１の上端から本体ケース１の外側に向かって延びるフランジ部４２を備え、天板２の下面を支える。固定部材４０のフランジ部４２は、本体ケース１の左右方向外側において天板２を支持することができるので、天板２の手前側に設けられた操作表示部４のタッチパネルホルダー７０やタッチパネル装置６０と干渉することがない。このため、操作表示部４を、本体ケース１の左右横幅よりも大きく構成できる。天板２の横幅の広い範囲を操作表示部４として使用できるので、使用者の操作部分を大きくすることもでき、使用者の操作性を向上させることができる。
【００２５】
また、タッチパネルホルダー７０の下側に固定部材４０が重ねられることがないので、天板２の前面側の厚みを薄くできる。このため、加熱調理器１００の天板２の上面が高くなるのを抑制でき、天板２の上面にて操作を行う使用者の操作性を低下させることもない。また、加熱調理器１００をキッチンＫに取り付けたとき、キッチンＫの上面と天板２の上面との段差を小さくできるので、よりフラットなシステムキッチンを構成でき、デザイン性に優れる。
【００２６】
実施の形態２．
本実施の形態２では、固定部材の他の構成例を説明する。図４は、実施の形態２に係る加熱調理器１００の固定部材４０Ａ周辺を下側から見た図である。なお、実施の形態１と同一又は同等な構成部分については同一符号を付す。
【００２７】
固定部材４０Ａは、本体ケース１の側面前側に取り付けられて、天板２を下方から支える部材であり、板金等で構成されている。固定部材４０Ａは、平板状に構成されて本体ケース１の側面に取り付けられる側面板４１と、側面板４１の上端から本体ケース１の外側方向に向かって延びるフランジ部４２とを有する。さらに、側面板４１の前端から本体ケース１の前面内側に向かって延びる前面板４４を備えている。平面視において、側面板４１と前面板４４でほぼＬ字型状をなしている。また、前面板４４には、固定部材４０Ａを本体ケース１に取り付けるためのネジ穴４３が設けられている。
【００２８】
このように構成された固定部材４０Ａは、フランジ部４２と本体ケース１の上面とがほぼ同じ高さになるようにして、本体ケース１の前側の角部分に取り付けられる。取り付け状態において、固定部材４０Ａの側面板４１と前面板４４とを接続する角部分は、本体ケース１の側面と前面とを接続する角部分に当接する。
【００２９】
以上のように、本実施の形態２によれば、固定部材４０Ａのフランジ部４２は、本体ケース１の左右外側において天板２を支持することができるので、天板２の手前側に設けられた操作表示部４のタッチパネルホルダー７０やタッチパネル装置６０と干渉することがなく、実施の形態１と同様の効果を得ることができる。
【００３０】
さらに、側面板４１と前面板４４とにより平面視Ｌ字構造を形成し、このＬ字構造を本体ケース１の側面と前面とを接続する角部分に取り付けたので、本体ケース１の剛性を高めることができる。
また、本体ケース１の前面側に設けた前面板４４にネジ穴４３を設けたので、固定部材４０Ａを本体ケース１にネジ止めする際には本体ケース１の前面側から作業できる。このため、固定部材４０Ａの取り付け作業効率を向上させることができる。
【００３１】
実施の形態３．
図５は、実施の形態３に係る加熱調理器の固定部材４０Ａ周辺を下側から見た図である。本実施の形態３では、固定部材４０Ａは前述の実施の形態２と同様の構成であるが、保護カバー８０を備えた点に特徴を有している。なお、実施の形態２と同一又は同等の構成部分については同一符号を付す。
【００３２】
図６は、保護カバー８０を説明する図であり、図６（Ａ）は保護カバー８０の斜視図を、図６（Ｂ）は保護カバー８０の取り付け先である固定部材４０Ａ近傍の斜視図を示している。
図６（Ａ）に示すように、保護カバー８０は、ほぼ水平に構成された天面部８１と、天面部８１の奥側外周からほぼ垂直に折り曲げ形成された平板状の側面部８２とを備える。側面部８２には、固定部材４０Ａのネジ穴４３に対応する位置に、ネジ穴８３が設けられている。保護カバー８０は、固定部材４０Ａよりも厚みの薄い部材で構成されている。
【００３３】
図６（Ｂ）に示すように、本体ケース１の前面から手前側に向かって突出するように配置される前側カバー３０の上面部３１と、本体ケース１の側面から外側に向かって突出するように配置されるフランジ部４２との間には、角面Ｃが形成される。保護カバー８０の天面部８１は、この角面Ｃの位置に配置されてこの角面Ｃを保護する。
【００３４】
保護カバー８０を取り付ける際には、本体ケース１の前面と固定部材４０Ａの前面板４４との間に、保護カバー８０の側面部８２を挿入する。すなわち、前面板４４と本体ケース１の前面との間に、側面部８２を挟む形となる。そして、ネジ穴４３、ネジ穴８３にネジ止めすることで、保護カバー８０と固定部材４０Ａは一体に本体ケース１に取り付けられる。保護カバー８０は、本体ケース１の左右両側にそれぞれ取り付けられる。
【００３５】
保護カバー８０を取り付けると、図５に示すように、フランジ部４２、天面部８１及び上面部３１によってほぼ同一平面が形成される。その結果、天板２の下側には、本体ケース１の上部開口の前面側外周部分に、鍔状の構造が設けられることとなる。
また、保護カバー８０の天面部８１は、タッチパネルホルダー７０の端部の下面に当接し、タッチパネルホルダー７０の裏面を保護する。
【００３６】
以上のように、本実施の形態３によれば、実施の形態２の固定部材４０Ａに加え、保護カバー８０を設けた。保護カバー８０は、固定部材４０Ａのフランジ部４２と前側カバー３０の上面部３１との間に形成される角面Ｃを覆うので、本体ケース１の上部開口の前面側外周における保護を強化することができる。
また、保護カバー８０の天面部８１が角面Ｃを覆うので、天板２と本体ケース１との間に角面Ｃの部分から水や虫が侵入するのを防ぐことができる。
【００３７】
また、例えば加熱調理器１００の運搬や据え付けを行うときには、本体ケース１の上部開口部の外側に張り出した天板２や外周フレーム１０の部分を持つこととなるので、この張り出した部分には裏面からの押圧力がかかる。本実施の形態３では、保護カバー８０の天面部８１は、操作表示部４を構成するタッチパネルホルダー７０の端部下面に当接し、タッチパネルホルダー７０の端部を覆うので、上記のような押圧力から操作表示部４を保護することができる。
【００３８】
なお、本実施の形態３では、前面板４４と本体ケース１の前面との間に側面部８２を挟んで保護カバー８０を取り付ける例を説明したが、前面板４４の手前側に保護カバー８０の側面部８２を重ねて保護カバー８０を取り付けてもよい。
【符号の説明】
【００３９】
１  本体ケース、２  天板、３Ｌ、３Ｒ  案内マーク、４  操作表示部、５Ｌ、５Ｒ  加熱コイル、６  ドア、７  主電源ボタン、８Ｌ、８Ｒ  火力調整ダイアル、１０  外周フレーム、１１  フロントフレーム、１２  サイドフレーム、１３  バックフレーム、２７  支持枠、３０  前側カバー、３１  上面部、３２  背面部、３３  底面部、４０  固定部材、４０Ａ  固定部材、４１  側面板、４２  フランジ部、４３  ネジ穴、４４  前面板、５０  ベースフレーム、５１  外周壁、５６  窓部、６０  タッチパネル装置、７０  タッチパネルホルダー、８０  保護カバー、８１  天面部、８２  側面部、８３  ネジ穴、１００  加熱調理器、Ｃ  角面、Ｋ  キッチン。
【図１】
0005460400.tif 000002
【図２】
0005460400.tif 000003
【図３】
0005460400.tif 000004
【図４】
0005460400.tif 000005
【図５】
0005460400.tif 000006
【図６】
0005460400.tif 000007